(57)【特許請求の範囲】
【請求項１】
燃焼機器から排気ガスを導出するための排気筒と、燃焼機器に外気を導入するための給気筒と、上記排気筒の先端に結合される排気トップとを備えた給排気構造において、
排気ガスが通過する開口を強制的に狭めることにより排気ガスの流速を増速させるよう設定された透孔を有する排気カバーであって、上記排気トップの前面の排気口から出た排気ガスが上記透孔を通過して外部空間に出るように配設された排気カバーを備え、
上記透孔は、排気ガスが通過する開口として上記排気筒の通路断面積よりも小さくなるように形成され、
上記排気カバーは、その下部位置において排気ガスドレンを一時的に貯留するよう上方に開口した状態に区画形成されたドレン受けを一体に備えており、
上記排気カバーは、上記透孔が形成された前面壁と、筒壁と、ドーナッツ環状の後面壁とを備え、上記前面壁が上記排気トップの前面を覆うように形成される一方、内部下側には、前・後を上記前面壁及び後面壁により区画され、底を上記筒壁により区画されて上記ドレン受けが形成されている
ことを特徴とする給排気構造。
【請求項２】
請求項１に記載の給排気構造であって、
上記排気トップは、上記排気筒の最下部位置に対応する位置に排気ガスドレンの通過を許容するドレン抜き開口を備え、
上記排気カバーは、上記ドレン抜き開口の位置よりも下位でかつ上記ドレン受けの底位置よりも上位において排気ガスドレンの越流を許容する越流開口を備えている、給排気構造。
【請求項３】
請求項１又は請求項２に記載の給排気構造であって、
上記ドレン受けは、内部に、排気ガスドレンを中和させる中和剤が保持されて構成されている、給排気構造。
【請求項４】
請求項１又は請求項２に記載の給排気構造であって、
上記ドレン受けは、このドレン受けに貯留される排気ガスドレンが接触することになる表面部位に、接触により排気ガスドレンを中和させる中和材料により形成された被覆層を備えている、給排気構造。
【請求項５】
請求項１又は請求項２に記載の給排気構造であって、
上記ドレン受けは、接触により排気ガスドレンを中和させる中和材料により形成されて排気トップから排出される排気ガスドレンと接触するように配置された接触部材を備えている、給排気構造。
【発明の詳細な説明】
【技術分野】
【０００１】
本発明は、例えば給湯器、風呂釜、温水循環式暖房機、あるいは、これらを複合させたものなどの燃焼機器において、燃焼用空気の給気や、排気ガスの排気のために用いられる給排気構造に関する。
【背景技術】
【０００２】
従来、この種の給排気構造として、排気筒の外周側に給気筒を配設して二重筒状にし、建物の外壁から外方に突出させた排気トップの後側位置に給気口を開口させる一方、排気トップの前面板の上側一部に給気口と連通するように前面給気口を開口させることにより、逆風による排気ガスのショートサイクル（排出された排気ガスが風に押し負けて給気口に流入して再循環されてしまうこと）の発生を抑制又は低減化させようとするものが知られている（例えば特許文献１〜３参照）。
【０００３】
又、他の給排気構造として、上記の如き二重筒状の給排気一体型の他に、例えば図１１に例示するように、燃焼機器Ｄから排気用と給気用との双方の延長配管１０１，１０２を互いに独立させて延出させ、個別に建物の外壁２を貫通した後に排気トップ１０３と給気トップ１０４とが横並びの各位置に配置される個別方式のものも知られている。この場合には主として横風を受けた場合に上記の排気ガスのショートサイクルが発生するおそれが生じる。すなわち、排気トップ１０３から出た排気ガスが横風を受けて給気トップ１０４に回り、給気トップ１０４から排気ガスが取り込まれてしまって排気ガスの再循環が生じてしまう。このような個別方式の排気トップ１０３の構造は、例えば図１２に例示するように外壁２を貫通した排気筒３００の先端に対し排気トップ１０３が連結され、併せて外壁２に固定するための取付用のフランジ部材５が連結され、上記排気トップ１０３の下側位置にドレン受け７０が取り付けられている。
【０００４】
【特許文献１】特開平９−１２６４４４号公報
【特許文献２】特開平９−１２６４４５号公報
【特許文献３】特開平９−１２６４４６号公報
【発明の開示】
【発明が解決しようとする課題】
【０００５】
ところで、近年、燃焼機器においては熱効率をより一層高めるために、燃焼熱により例えば熱交換器を熱交換加熱した後の排気ガスからもその潜熱を回収するという潜熱回収型の燃焼機器が開発されている。これは燃焼による本来の加熱対象である一次熱交換器の下流側であって排気ガスの排出通路の途中に二次熱交換器を横切るように介装し、この二次熱交換器によって排気ガスの潜熱を回収しようとしている。
【０００６】
しかしながら、このような潜熱回収型の場合には、排気ガスの潜熱をも回収するものであるため排気ガス温度がより低くなり、この結果、二次熱交換器が介装されていない従来型の場合と比べ、排気トップ近傍の排気ガスの流速が遅く（例えば２／３程度に遅く）なってしまう。このため、従来よりも弱い風であっても、排気トップから出た排気ガスがその風に押し負けて給気側に流入してしまうというショートサイクルを引き起こす傾向が強まる結果を招くおそれがある。
【０００７】
本発明は、このような事情に鑑みてなされたものであり、その目的とするところは、排気ガスの流速が従来よりも遅くなる傾向にあってもショートサイクルの発生を確実に抑制・防止し得る給排気構造を提供することにある。併せて排気ガスから生じるドレンに対する対策も確保し得るようにする。
【課題を解決するための手段】
【０００８】
上記目的を達成するために、本発明では、燃焼機器から排気ガスを導出するための排気筒と、燃焼機器に外気を導入するための給気筒と、上記排気筒の先端に結合される排気トップとを備えた給排気構造を対象にして、次のような排気カバーを備えることとした。すなわち、排気ガスが通過する開口を強制的に狭めることにより排気ガスの流速を増速させるよう設定された透孔を有する排気カバーであって、上記排気トップの排気口から出た排気ガスが上記透孔を通過して外部空間に出るように配設された排気カバーを備えることとし、上記透孔として、排気ガスが通過する開口として上記排気筒の通路断面積よりも小さくなるように形成する。
【０００９】
以上の特定事項部分の場合、上記排気カバーの透孔により排気ガスの通過する開口が強制的に狭められるため、排気口から出た排気ガスが上記透孔を通過する際に増速され、増速された状態で外部に吹き出されることになる。このため、風を受けても給気筒の先端側に流れ込み難くなり、ショートサイクルの発生が抑制・防止されることになる。かかる給排気構造は、排気トップと給気トップとが互いに離隔して並設された個別方式の給排気構造においても、排気筒が内側に給気筒が外側にそれぞれ配置された二重筒方式の給排気一体型の給排気構造においても、いずれでも適用することができ、本発明の適用により上記の作用が得られることになる。又、排気カバーを追加するだけでよいため、既存の排気トップや、設置前の既存構造の排気トップを共用することが可能になり、これらに対しても追加設置することにより上記の作用が得られるようになる。さらに、排気トップが排気カバーにより覆われることになるため、特に既存の排気トップにおいて外観の向上を図り得る。
【００１１】
そして、上記の特定事項部分に加えて、本発明の排気カバーでは、その下部位置において排気ガスドレンを一時的に貯留するよう上方に開口した状態に区画形成されたドレン受けを一体に備えることとし、上記排気カバーとして、上記透孔が形成された前面壁と、筒壁と、ドーナッツ環状の後面壁とを備え、上記前面壁が上記排気トップの前面を覆うように形成する一方、内部下側に、前・後を上記前面壁及び後面壁により区画し、底を上記筒壁により区画して上記ドレン受けを形成することとした（請求項１）。この場合、透孔による排気ガスの増速と、ドレン受けによる排気ガスドレンの捕集及び排出とが共に上記排気カバーによって実現し得るようになる。つまり、排気カバーによりドレン受けも兼用し得るため、別部材としてドレン受けを設ける必要もなくなる。加えて、上記ドレン受けにより、外部から見えない状態で排気ガスドレンの貯留を行うことができ、排気ガスドレンの飛散防止や美観向上等をも図ることができるようになる。そして、本発明においては、上記排気トップが、上記排気筒の最下部位置に対応する位置に排気ガスドレンの通過を許容するドレン抜き開口を備え、上記排気カバーが、上記ドレン抜き開口の位置よりも下位でかつ上記ドレン受けの底位置よりも上位において排気ガスドレンの越流を許容する越流開口を備えるようにすることもできる（請求項２）。これにより、ドレン抜き開口から滴下又は落下する排気ガスドレンがドレン受けに貯留され、貯留された排気ガスドレンが所定量以上になれば越流開口からオーバーフローすることになり、ドレン受けとして、具体的かつ確実に機能し得ることになる。しかも、排気ガスドレンの排出に支障をきたすことなく確実に排気ガスドレンの排出及び捕集を行うことができる。
【００１２】
このドレン受けとしては、次のように特定事項のさらなる追加により具体化することができる。すなわち、第１として、上記ドレン受けとして、内部に、排気ガスドレンを中和させる中和剤を保持させて構成する（請求項３）。この場合、中和剤により排気ガスドレンの中和が図られ、外部に越流等により漏れ出ても外表面を変色等させることもない。
【００１３】
第２として、上記ドレン受けとして、このドレン受けに貯留される排気ガスドレンが接触することになる表面部位に、接触により排気ガスドレンを中和させる中和材料により形成された被覆層を備えるようにする（請求項４）。この場合も、被覆層に排気ガスドレンが接触することにより中和され、これにより、排気ガスドレンが外部に越流等により漏れ出ても外表面を変色等させることもない。ここで、上記の表面部位とは排気ガスドレンが接触することになる内表面の他に、越流して流下することになる外表面も含まれる。
【００１４】
第３として、上記ドレン受けとして、接触により排気ガスドレンを中和させる中和材料により形成されて排気トップから排出される排気ガスドレンと接触するように配置された接触部材を備えるようにする（請求項５）。この場合も、接触部材に排気ガスドレンが接触することにより中和され、これにより、排気ガスドレンが外部に越流等により漏れ出ても外表面を変色等させることもない。ここで、接触部材としては１又は２以上備えるようにすればよい。
【発明の効果】
【００１５】
以上、説明したように、請求項１〜請求項５のいずれかの給排気構造によれば、排気カバーの透孔により排気ガスが通過する開口を強制的に狭めて排気ガスを増速させることができ、これにより、ショートサイクルの発生を抑制・防止することができるようになる。しかも、かかる効果を排気カバーの追加だけで得ることができ、これにより、既設の排気筒、排気トップ及び給気筒等を共用したり、既存構造の排気トップにも適用したりすることができることになる。さらに、特に既設の排気トップに適用することにより、外観性を向上させることもできる。
【００１７】
加えて、上記の透孔による排気ガスの増速と、ドレン受けによる排気ガスドレンの捕集及び排出とを排気カバーによって共に実現させることができるようになり、別部材としてドレン受けを設ける必要をなくすことができる。そして、上記ドレン受けにより、外部から見えない状態で排気ガスドレンの貯留を行うことができ、排気ガスドレンの飛散防止や美観向上等をも図ることができるようになる。
【００１８】
請求項２によれば、ドレン抜き開口から滴下又は落下する排気ガスドレンがドレン受けに貯留され、貯留された排気ガスドレンが所定量以上になれば越流開口からオーバーフローすることになり、ドレン受けとして具体的かつ確実に機能させることができるようになる。しかも、排気ガスドレンの排出に支障をきたすことなく確実に排気ガスドレンの排出及び捕集を行うことができる。
【００１９】
請求項３〜請求項５のいずれかによれば、排気ガスドレンの中和を図ることができ、ドレン受けから外部に越流等により漏れ出た場合であっても、排気カバーの外表面に変色等が発生することを確実に防止することができる。
【発明を実施するための最良の形態】
【００２０】
以下、本発明の実施形態を図面に基づいて説明する。
【００２１】
＜第１実施形態＞
図１は、本発明の第１実施形態に係る給排気構造を示す。同図中の符号２はこの給排気構造が適用される建物の外壁であり、２１は外壁２に貫通された取付孔である。この第１実施形態の給排気構造は、図１１に示す個別方式の給排気構造を前提としてその排気側に排気ガスの流速を高めるための排気カバー６を追加設置して構成したものである。なお、図１及び図１以外の断面図においては、図示の都合上、板材により形成された各部材の肉厚や傾斜を誇張して示し、又、取り付け・組み付け等の状態が分かり易いように部分的にサイズを大きく描いている。
【００２２】
この給排気構造における排気側は、上記取付孔２１内を内外方向に通された排気筒３と、この排気筒３の先端に連結されて外壁２から外部に露出するように設置される排気トップ４と、フランジ部材５と、排気カバー６とから構成されている。上記排気筒３は取付孔２１に対し外方に向けて斜め下り勾配になるように設置され、排気筒３内等を通過する間に排気ガスが冷やされて発生する排気ガスドレンが内部に戻らないようにしている。なお、上記排気筒３の基端側（上流端側）は燃焼機器Ｄ（図１１参照）から延ばされた延長配管１０１に接続されるようになっている。
【００２３】
上記排気トップ４は前面壁４１と筒壁４２と取付片４３とを有し、その前面壁４１に排気口４４，４４，…が開口されている。排気口４４，４４，…は横向きに延びてスリット状に形成されると共に、例えば打ち抜きにより一体に形成されたルーバ４５，４５，…が付設されて、ガラリ状に構成されている。各ルーバ４５は外方に向けて下り勾配となるよう斜めに配向され、排気ガスを外方に対し斜め下方に向けて吹き出させて排出させるようにしている。又、上記前面壁４１の最下部位置には内部の排気ガスドレンを外部の後述のドレン受け７に導くドレン抜き開口としてのドレン孔４６が貫通形成されている。
【００２４】
ここで、上記排気口４４，４４，…の合計開口面積は、排気筒３の通路断面積とほぼ同じに設定されており、たとえ若干小さく設定されていたとしても後述の透孔６１（他の態様又は実施形態における透孔も含む）の開口面積ほどに小さくはなく、透孔６１が最も小さい開口面積を有するように設定される。
【００２５】
上記フランジ部材５は略ドーナッツ形状に形成されたものであり、後述の如く排気筒３及び排気トップ４との互いの結合（例えばビス５２による結合）、これらの外壁２への固定、及び、取付孔２１の隙間を遮蔽する閉止・化粧等の役割を果たすものである。外壁２への固定は周囲の例えば３カ所に貫通させたコンクリート用ネジ又はアンカーねじ５１により行われる。
【００２６】
上記排気カバー６は、図２にも示すように、ドーナッツ環状の所定の開口面積を有する透孔６１が形成された前面壁６２と、筒壁６３と、ドーナッツ環状の後面壁６４とを備え、排気トップ４の前面を覆うように形成されたものである。そして、この排気カバー６は、上記後面壁６４の内周側が上記排気トップ４又はフランジ部材５に対し溶着又はビス止め等の手段により結合されることにより一体に保持されている。図例では、上記後面壁６４の内周端縁側に設けられた接合縁６４１が排気トップ４の筒壁４２に外嵌されて結合されている例を示している。
【００２７】
上記透孔６１はその開口面積が排気筒３の通路断面積よりも小さくなるように設定され、これにより排気筒３及び排気口４４，４４，…を通して流れてきた排気ガスが透孔６１を通過することによりその流速が増速されるようにしている。図２に示す場合では、例えば排気筒３の内径（内壁面３０の直径）が１００mmであるとすれば、透孔６１として内径８０mmの円孔が形成されている。
【００２８】
そして、上記透孔６１に連続して最下部位置から下方に向けて切り欠かれた凹溝部６５が形成され、この凹溝部６５の底縁６５１は上記のドレン孔４６よりも下位に位置するように設定されている。この凹溝部６５が排気ガスドレンの越流開口を構成する。すなわち、排気カバー６の内部下側には、前・後を前面壁６２及び後面壁６４により区画され、底を筒壁６３により区画されたドレン受け７が形成されており、このドレン受け７は排気トップ４のドレン孔４６から流下又は滴下する排気ガスドレンを受けて貯留するようになっている。そして、このドレン受け７内の排気ガスドレンは自然蒸発により蒸発するまでの間貯留されるものの、時として上記ドレン受け７内に貯留された排気ガスドレンの液位が上記底縁６５１の位置を超えて上昇すると、その超えた分だけ排気ガスドレンが凹溝部６５から越流して外部空間に排出されるようになっている。なお、このような凹溝部６５の代わりに底縁６５１を共通する位置に貫通孔を形成し、この貫通孔によって越流開口を構成するようにしてもよい。
【００２９】
本実施形態の場合、燃焼機器Ｄ（図１１参照）から排気筒３を通して流れてきた排気ガスが排気トップ４の排気口４４，４４，…から出て、次いで排気カバー６の透孔６１を通過する際に、通路断面積が排気筒３のそれから狭められて絞られるため、排気ガスは流速を増大させ、流速を増大させたまま上記透孔６１から外部に吹き出されることになる。このため、燃焼機器Ｄが潜熱回収型のもので排気ガス温度が低くて排気ガスの流速が遅いものであっても、外部空間に排出される直前に増速させ、増速させた状態で外部空間に吹き出させることができる。これにより、横風に起因するショートサイクルの発生を効果的に抑制することができるようになる。又、排気カバー６を従来構造の排気トップ４に対し追加するだけで、ショートサイクル発生の防止・抑制を図ることができるようになる。さらに、既存の排気トップ４に対しても適用することができる上に、排気カバー６が既存の排気トップ４の外面を覆い美観の向上にも寄与させ得ることになる。その上に、排気カバー６にはドレン受け７が一体に形成され、又、外部から見えない状態で排気ガスドレンの貯留を行うことができ、排気ガスドレンの飛散防止や美観向上等をも図ることができるようになる。しかも、排気ガスドレンの排出に支障をきたすことなく確実に排気ガスドレンの排出及び捕集を行うことができる。
【００３０】
本実施形態の他の態様として、上記の排気カバー６の変形例を以下に示す。なお、上記と同様構成のものには上記で説明したものと同一の符号を付している。図３（ａ）に示す排気カバー６ａは、透孔６１ａとして所定内径（例えば図２の透孔６１と同内径）の円孔を排気筒３（図１参照）に偏心させた位置で開口するように形成したものである。すなわち、上記の排気カバー６の透孔６１は排気筒３の先端位置の内壁面３０と同軸配置にて形成されたものであるのに対し、上記排気カバー６ａの透孔６１ａは排気筒３の先端位置の内壁面３０よりも下方に偏心した位置で開口するように形成されている。そして、この透孔６１ａの最下部の孔縁６１１ａが上記の凹溝部６５の底縁６５１と同レベル位置に位置するようにし、この孔縁６１１ａにより、排気カバー６ａの内部下側に形成されるドレン受け７からの越流開口を構成するようにしている。あるいは、このような越流開口を構成させるための孔縁６１１ａ位置の設定に加えて又はかかる孔縁６１１ａ位置の設定に代えて、排気カバー６ａの筒壁６３の下部の所定のレベル位置に１又は２以上（図例では２つ）のドレン抜き孔７１，７１を形成するようにしてもよい。孔縁６１１ａ及び／又はドレン抜き孔７１によって、越流開口が構成される。なお、上記の如きドレン抜き孔７１の形成により越流開口を構成し、これにより透孔６１への凹溝部６５の形成を省略してもよく、又、この詳細な説明欄で説明する透孔６１ａ，６１ｂ，６１ｃ等の形成位置を上記の凹溝部６５の底縁６５１の位置を考慮することなく自由に設定するようにしてもよい。
【００３１】
図３（ｂ）に示す排気カバー６ｂは、透孔６１ｂとして、排気トップ４の投影位置と概略下半部分において同じ円弧位置を通る周縁部６１２ｂと、上側において弦部６１３ｂとを有する形状のものを形成したものである。つまり、上記透孔６１ｂは、上記排気トップ４の排気口４４，４４，…の形成領域と合致する円形領域の上側部分を閉塞させたものに相当する。そして、透孔６１ｂの最下部の孔縁６１１ｂが凹溝部６５の底縁６５１と同レベル位置に位置するようにして、上記と同様に越流開口を構成しているのである。
【００３２】
なお、上記の透孔６１ａ，６１ｂも、図２に示す透孔６１の場合と同様に排気筒３の通路断面積よりも小さくされ、例えば内径１００mmの円孔を内径８０mmの円孔に小さくする場合と同様に小さくされ、図２に示す場合と同程度の増速が図られるようになっている。
【００３３】
＜第２実施形態＞
図４は、本発明の第２実施形態に係る給排気構造を示す。この第２実施形態の給排気構造は、図１１に示す個別方式の給排気構造を前提として、第１実施形態における１つの透孔６１，６１ａ，６１ｂの代わりに、これを２つの透孔６１ｃで構成したものである。なお、第２実施形態において、第１実施形態のものと同様構成のものについては、第１実施形態と同一符号を付してその詳細な説明は省略する。
【００３４】
本実施形態の排気カバー６ｃは、上下に半月状の２つの透孔６１ｃ，６１ｃを有し、両者６１ｃ，６１ｃ間に所定の上下幅を有する帯状の閉塞壁部６６を形成したものである。
【００３５】
この一対の透孔６１ｃ，６１ｃの合計開口面積は、上記の１つで構成された透孔６１，６１ａ，６１ｂの場合と同様に排気筒３の通路断面積よりも小さくされ、同程度の増速が図られるようになっている。又、下側透孔６１ｃの最下部の孔縁６１１ｃの位置を、第１実施形態の凹溝部６５の底縁６５１と同レベル位置に位置するようにして、越流開口を構成している。
【００３６】
この第２実施形態では、排気カバー６ｃの一対の透孔６１ｃ，６１ｃによって排気口４４，４４，…から出た排気ガスが外部空間に出る前に通過する合計の開口面積が狭められて絞られるため、その分、排気ガスが増速され、増速された状態で外部空間に吹き出されることになる。このため、第１実施形態の場合と同様に横風が吹いたとしても排気ガスのショートサイクルの発生を抑制・防止することができる。しかも、上記閉塞壁部６６が、横風方向に対し排気カバー６ｃの最大幅の部分に形成されているため、ショートサイクルを引き起こすような比較的強い横風が吹いて上下の各透孔６１ｃから出た排気ガスが図５に二点鎖線の矢印で示すように給気トップ１０４（図１１参照）の側に流れたとしても、図５一点鎖線で示すように閉塞壁部６６の前面に沿って流れる横風（排気ガスではなくて新鮮な空気）が給気トップ１０４に流れて給気として吸い込まれることになる。このため、たとえ横向きの強風が吹いて多少のショートサイクルが発生したとしても、給気に含まれる排気ガス成分を大幅に低減させてショートサイクル発生に伴う弊害（燃焼不良等）の発生を軽減させることができる。
【００３７】
＜第３実施形態＞
図６は、本発明の第３実施形態に係る給排気構造を示す。この第３実施形態の給排気構造は給排気一体型のものに対し第１実施形態で追加した排気カバー６を適用したものである。この第３実施形態において、第１実施形態のものと同様構成のものについては、第１実施形態と同一符号を付してその詳細な説明は省略する。
【００３８】
本実施形態の給排気構造は、排気筒３の外周側に排気筒３よりも所定量大径の給気筒９が外挿されて二重筒方式とされ、排気筒３の外周面と給気筒９の内周面との間の環状空間が燃焼機器Ｄへの給気取り込みのための給気通路９１とされている。上記給気筒９は先端フランジ９２によって外壁２に対し密着され、排気筒３は給気筒９よりも所定寸法だけ前方（外方）に突出した状態に保持され、先端に第１実施形態で説明したと同様の排気トップ４及び排気カバー６が結合されている。
【００３９】
又、上記排気トップ４には外周側に張り出したドーナッツ環状の遮断壁部材１０が併せて固定され、この遮断壁部材１０の背後であって遮断壁部材１０と給気筒９の先端開口との間が所定量離されてこの間に給気取り込みのための給気口９３がドーナッツ環状に開口されている。
【００４０】
本実施形態の場合には、上記排気カバー６の透孔６１によって第１実施形態で説明したように排気ガスが増速されて上記透孔６１から吹き出されることになるため、排気ガスが逆風（図６の右から左に向けて吹く風）に押し負けて給気口９３の側に流れ込むことが抑制・防止されることになる。これにより、給排気一体型の場合であっても、排気ガスのショートサイクル発生を抑制・防止することができるようになる。
【００４１】
本実施形態の他の態様として、上記の排気カバー６の代わりに、図３（ａ）に示す排気カバー６ａ、図３（ｂ）に示す排気カバー６ｂ、あるいは、図４，図５に示す排気カバー６ｃを適用してもよい。
【００４２】
＜第４実施形態＞
図７〜図１０は、本発明の第４実施形態として上記の第１〜第３の各実施形態の給排気構造に適用されるその１からその４までの各種構成のドレン受けを示す。つまり、上記第１〜第３の各実施形態をそのドレン受け７に代えて次のドレン受け７ａ〜７ｄのいずれかを適用して構成し得ることを意味する。以下、第１実施形態等と同様構成のものについては、第１実施形態等と同一符号を付してその詳細な説明は省略する。なお、図７〜図１０の各図において、排気カバーとして符号６，透孔として符号６，孔縁として符号６５１（底縁）を付しているが、この場合の符号６は符号６，６ａ，６ｂ又は６ｃを、符号６１は符号６１，６１ａ，６１ｂ又は６１ｃを、符号６５１は符号６５１，６１１ａ，６１１ｂ又は６１１ｃを、それぞれ代表するものとする。
【００４３】
（その１）
図７に示すドレン受け７ａは、その内部に中和剤（例えば粒状の中和剤）１１が所定量充填され、この中和剤１１の上面に対し中和剤１１を保持するための網状被覆部材（例えば合成樹脂製又は金属製のネット）１２が被せられて構成されている。この場合には、排気トップ４のドレン孔４６から滴下又は落下してドレン受け７ａに貯留された排気ガスドレンは上記中和剤１１により中和されるため、底縁６５１から外部に越流して排気カバー６の外部表面に接触したとしても、その外部表面が変色する事態の発生を確実に防止することができる。すなわち、中和されずに強アルカリ性の排気ガスドレンが越流した場合には、その排気ガスドレンとの接触により排気カバー６の外部表面が変色するおそれがあるものの、上記の如き中和済みであればそのおそれはない。
【００４４】
（その２）
図８に示すドレン受け７ｂは、ドレン孔４６から滴下又は落下する排気ガスドレンが最初に接触する接触部材１３を備えたものである。この接触部材１３は上記の滴下又は落下する排気ガスドレンを下で受けて斜め下方に向けて流下させるように配置した板片により構成されている。加えて、上記接触部材１３は金属又は合成樹脂の基板１３ａの少なくとも上面（好ましくは図例の如く上下面又は全外表面）を被覆層１３ｂで一体に被覆して形成されたものであり、上記の被覆層１３ｂが排気ガスドレンを中和し得る中和材料（例えばアルミニウム又はアルミナ等の中和能力を有する材料）により形成されたものである。この場合には、排気トップ４のドレン孔４６から排気ガスドレンが接触部材１３の上面に滴下又は落下して接触する際に、又は、接触したまま上面を流下する間に中和されるため、上記と同様に、排気カバー６の外部表面が変色する事態の発生を確実に防止することができる。なお、上記の接触部材１３の全体を上記の中和材料により形成するようにしてもよいし、このような接触部材１３に加えて又は接触部材１３の代わりに、ドレン受け７ｂを区画構成する構成壁の表面（前面壁６２の内面６２１，筒壁６３の内面６３１，後面壁６４の内面６４１）に上記の中和材料による被覆層を形成するようにしてもよい。
【００４５】
（その３）
図９に示すドレン受け７ｃは、図８のドレン受け７ｂに対しさらに第２接触部材１４を追加したものである。この第２接触部材１４はその上下面又は全外表面に上記の中和材料製の被覆層が形成されたものであり、ドレン受け７ｃに貯留される排気ガスドレンに没するように配置される。この場合にも、上記の如くドレン受け７ｃを区画構成する構成壁の表面６２１，６３１，６４１に上記の中和材料による被覆層を形成するようにしてもよい。
【００４６】
（その４）
図１０に示すドレン受け７ｄは、少なくとも越流開口である底縁６５１よりも下方領域の前面壁６２の外表面側を、あるいは、これに加えてその前面壁６２に連続する筒壁６３の外表面側を、上記の中和材料製の被覆層６７により被覆したものである。この場合には、ドレン受け７ｄの内部に貯留された排気ガスドレンが増大して底縁６５１をオーバーフローして前面壁６２の外側に流下し出したとしても、その表面が上記被覆層６７により覆われているため、オーバーフローした排気ガスドレンがこの被覆層６７に接触して中和されることになる。これにより、上記で説明した如き排気カバー６の外部表面が変色する事態の発生を確実に防止することができる。
【００４７】
（以上の各実施形態に共通する他の態様）
排気カバー６，６ａ〜６ｃを排気トップ４と同軸配置とするのではなくて、排気トップ４に対し排気カバーを下方位置に偏心させた位置に配置、つまり下方に所定量だけオフセット配置することにより、内底部に区画形成されるドレン受けの深さを大きくして貯留し得る容量を大きくするようにしてもよい。この場合の越流開口の形成位置も、その深くなった分だけ上方位置に変更すればよい。
【図面の簡単な説明】
【００４８】
【図１】本発明の第１実施形態を示す断面説明図である。
【図２】図１のＡ−Ａ線矢視状態の説明図である。
【図３】第１実施形態の他の態様で適用される排気カバーの正面図であり、図３（ａ）は１番目の態様、図３（ｂ）は２番目の態様をそれぞれ示す。
【図４】第２実施形態の図１対応図である。
【図５】図４のＢ−Ｂ線矢視状態の説明図である。
【図６】第３実施形態を示す断面説明図である。
【図７】第４実施形態のその１のドレン受けの拡大断面説明図である。
【図８】第４実施形態のその２のドレン受けの拡大断面説明図である。
【図９】第４実施形態のその３のドレン受けの拡大断面説明図である。
【図１０】第４実施形態のその４のドレン受けの拡大断面説明図である。
【図１１】個別方式の給排気構造の例を一部破断した斜視状態で示す説明図である。
【図１２】図１１の排気トップの構造例を示す断面説明図である。
【符号の説明】
【００４９】
２              建物の外壁
３              排気筒
４              排気トップ
６，６ａ，６ｂ，６ｃ          排気カバー
７，７ａ，７ｂ，７ｃ，７ｄ    ドレン受け
９              給気筒
１１            中和剤
１３，１４      接触部材
１３ａ，６７    被覆層
２１            取付孔
４６            ドレン孔（ドレン抜き開口）
６１，６１ａ，６１ｂ，６１ｃ    透孔
６５            凹溝部（越流開口）
６１１ａ，６１１ｂ，６１１ｃ    透孔の最下部の孔縁（越流開口）
６２１，６３１，６４１          内面（表面部位）
Ｄ              燃焼機器
【図１】
0004766374.tif 000002
【図２】
0004766374.tif 000003
【図３】
0004766374.tif 000004
【図４】
0004766374.tif 000005
【図５】
0004766374.tif 000006
【図６】
0004766374.tif 000007
【図７】
0004766374.tif 000008
【図８】
0004766374.tif 000009
【図９】
0004766374.tif 000010
【図１０】
0004766374.tif 000011
【図１１】
0004766374.tif 000012
【図１２】
0004766374.tif 000013